(57)【要約】    【課題】  茎の短い切り花等を背の高い花瓶に容易に活けることのできるようにした植物サポート具を提供する。    【解決手段】  両端が開口され、内部に植物(21,31,41,51)の茎を収容して保持する管体(11)と、該管体内に充填され、上記管体の少なくとも一方の開口から吸水して上記植物に与える保水材(12)とから植物サポート具(10)を構成する。切り花、野菜、種子から発芽した苗に適用できる。保水材は高分子吸水材料を用いて製作されるのがよい。この植物サポート具は植物又は野菜の運搬に用いることができる。【選択図】  図２
2006020594.tif 000002
【特許請求の範囲】
【請求項１】
両端が開口され、内部に植物の茎を収容して保持する管体と、該管体内に充填され、上記管体の少なくとも一方の開口から吸水して上記植物に与える保水材と、を備えたことを特徴とする植物サポート具。
【請求項２】
上記植物が切り花又は野菜である請求項１記載の植物サポート具。
【請求項３】
上記植物が種子から発芽した苗である請求項１記載の植物サポート具。
【請求項４】
上記保水材が高分子吸水材料を用いて製作されている請求項１記載の植物サポート具。    
【請求項５】
植物又は野菜の運搬に用いられるようにした請求項１記載の植物サポート具。
【発明の詳細な説明】
【技術分野】
【０００１】
この発明は植物サポート具に関し、特に茎の短い切り花等を背の高い花瓶に容易に活けることのできるようにした植物サポート具に関する。
【背景技術】
【０００２】
例えば、切り花を花器や水盤に活けた場合、花器や水盤の水の新鮮さ、さらには花，葉，茎からの水分の蒸発が切り花の寿命に関係するとされている。そこで、花器に筒状部分を設け、筒状部分に切り花を活け、切り花をカバーで覆うようにした切り花の延命具が提案されている（特許文献１）。
【特許文献１】特開２００１−１２８５５４号公報
【発明の開示】
【発明が解決しようとする課題】
【０００３】
ところで、茎を短く切ってしまった切り花の場合、花器、特に背の高い花瓶に活けることが難しく、捨てているのが実情であった。
【０００４】
本発明はかかる状況において、茎の短い切り花等を背の高い花瓶に容易に活けることのできるようにした植物サポート具を提供することを課題とする。
【課題を解決するための手段】
【０００５】
本発明に係る植物サポート具は、両端が開口され、内部に植物の茎を収容して保持する管体と、該区体内に充填され、上記管体の少なくとも一方の開口から吸水して上記植物に与える保水材と、を備えたことを特徴とする。
【０００６】
本発明の特徴の１つは保水材を充填した管体に植物の茎を入れて保持するようにした点にある。これにより、管体を花器の水中に差し込むと、保水材が花器の水を吸収して保水し、この水が茎の切り口や根から植物の茎に与えられるので、植物の活力が保たれ、植物本来の寿命を確保できる。その結果、植物サポート具を切り花や野菜の茎に被せ、吸水させておくと、切り花や野菜の輸送中に切り花が弱ったり野菜の鮮度が落ちるのを軽減できる。
【０００７】
また、植物は切り花でもよく、野菜でもよく、さらには種子から発芽した苗であってもよい。特に、種子から苗を発芽させる場合には苗の茎がヨトウガの幼虫（夜盗虫）やコガネムシの幼虫（地虫）によって喰い切られるという被害を受けやすいが、管体内に苗の茎を収容すると、このような害虫の被害を防止できる。
【０００８】
管体は保水材を充填できしかも植物の茎を収容して保持できれば特にその素材は限定されず、例えば合成紙や紙、あるいはポリプロピレンや塩化ビニル等の合成樹脂材料で製作することができる。特に、植物サポート具内の保水材に植物の種子を植え、発芽させる場合には生分解プラスチックで製作するのがよい。
【０００９】
保水材はティッシュペーパーや綿でもよいが、十分な量の水を保水する上で、高分子吸水材料を用いて製作されるのがよい。
【発明を実施するための最良の形態】
【００１０】
以下、本発明を図面に示す具体例に基づいて詳細に説明する。図１及び図２は本発明に係る植物サポート具の好ましい実施形態を示す。図において、植物サポート具１０は円形状の管体１１内に保水材１２を充填して構成され、管体１１はポリプロピレンや塩化ビニル等の合成樹脂材料、合成紙や紙、合成樹脂フィルムをラミネートした合成紙や紙で製作され、保水材１２には例えば高分子吸水材料やティッシュペーパーが用いられている。
【００１１】
例えば、切り花の茎を誤って短く切ってしまった場合、上手く切った切り花２２を花瓶２０に活ける一方、短く切った切り花２１の茎を本例の植物サポート具１０に差し込み、この植物サポート具１０を花瓶２０内に差し込むと、図２に示されるように、茎を短く切りすぎた切り花２１も普通の切り花２２と同様に活けることができる。
【００１２】
図３及び図４は第２の実施形態を示す。本例では植物サポート具１０を樹脂ポット３０での育苗に用いている。即ち、樹脂ポット３０の土には植物サポート具１０が１／２〜２／３程度まで埋められ、植物サポート具１０内の保水材１２には種子が蒔かれている。この種子が発芽し成長すると、図３及び図４に示されるように、苗３１の茎は植物サポート具１０の管体１１から上方にのび、根は樹脂ポット３０の土中にのびることができる。なお、樹脂ポット３０は市販のビニールポットでもよいが、生分解性樹脂で製作されたポットを用いるのがよい。
【００１３】
本例では苗３１の茎の土側部分が植物サポート具１１でカバーされているので、茎がヨトウガの幼虫やコガネムシの幼虫によって喰い切られるという被害を予防できる。
【００１４】
図５は図３の実施形態を示す。上記の例では植物サポート具１０を育苗に利用したが、本例では図５に示されるように、差し芽３２の育成に用いている。この場合、保水材１２に発根剤をしみ込ませると、差し芽３２の根が早くのびて差し芽３２を活着させることができる。
【００１５】
図６は第４の実施形態を示す。本例では植物サポート具１０を切り花４１の輸送に用いている。即ち、輸送函４０内には切り花４１が入れられ、切り花４１の茎の切り口には水に浸した本例の植物サポート具１０が嵌められている。このように、植物サポート具１０を切り花４１や他の花木の輸送に用いると、花木の活力を維持できる。
【００１６】
図７は第５の実施形態を示す。本例では輸送函５０に入れた野菜５１の茎の切り口に、水に浸した植物サポート具１０を嵌めている。このように植物サポート具１０を野菜５１の輸送に用いると、野菜５１の鮮度を保つことができる。
【００１７】
図８は第６の実施形態を示す。本例では管体１１がシート体を巻回して構成されており、管体１１の径を植物の茎の太さに応じて調整できるようにしている。
【図面の簡単な説明】
【００１８】
【図１】本発明に係る植物サポート具の好ましい実施形態を示す図である。
【図２】上記実施形態の使用例を示す図である。
【図３】第２の実施形態を示す図である。
【図４】図３の拡大断面図である。
【図５】第３の実施形態を示す図である。
【図６】第４の実施形態を示す図である。
【図７】第５の実施形態を示す図である。
【図８】第６の実施形態を示す図である。
【符号の説明】
【００１９】
１０      植物サポート具
１１      管体
１２      保水材
２０      花瓶
２１，２２      切り花
３０      樹脂ポット
３１      苗
３２      差し芽
４１      切り花
５１      野菜
【図１】
2006020594.tif 000003
【図２】
2006020594.tif 000004
【図３】
2006020594.tif 000005
【図４】
2006020594.tif 000006
【図５】
2006020594.tif 000007
【図６】
2006020594.tif 000008
【図７】
2006020594.tif 000009
【図８】
2006020594.tif 000010